【手続補正書】
【提出日】平成30年2月19日(2018.2.19)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
ビデオデータのコーディングユニットのシンタックス要素を復号することと、ここにおいて、前記シンタックス要素は、色空間変換プロセスが残差ブロックに適用される色空間変換プロセスを使用して前記コーディングユニットが符号化されたかどうかを示し、ここにおいて、４分木データ構造は、コーディングユニットごとに１つのノードを含む、
前記シンタックス要素の値は、色空間変換プロセスが残差ブロックに適用される色空間変換プロセスを使用して前記コーディングユニットが符号化されたことを示すかどうかを決定することと、
前記シンタックス要素が、色空間変換プロセスが残差ブロックに適用される色空間変換プロセスを使用して前記コーディングユニットがコーディングされたことを示すと決定することに応答して、残差ブロックを生成するために、前記コーディングユニットを復号することにおいて色空間逆変換プロセスを適用することと
を備える、方法。
【請求項２】
前記シンタックス要素は、第１のシンタックス要素であり、前記第１のシンタックス要素は、前記コーディングユニットに関連し、前記方法は、
第２のシンタックス要素を復号することと、ここにおいて、前記第２のシンタックス要素は、ピクチャパラメータセット（ＰＰＳ）に関連し、ここにおいて、前記第２のシンタックス要素は、前記ＰＰＳに対応するビデオデータのために色空間変換プロセスが有効化されるかどうかを示す、
前記第２のシンタックス要素の値が、前記ＰＰＳに対応する前記ビデオデータのために色空間変換プロセスが有効化されることを示すかどうかを決定することと
をさらに備え、
ここにおいて、前記第１のシンタックス要素を復号することは、前記第２のシンタックス要素が、前記ＰＰＳに対応する前記ビデオデータのために色空間変換プロセスが有効化されることを示すと決定することに応答して、前記第１のシンタックス要素を復号することを備える、請求項１に記載の方法。
【請求項３】
前記色空間逆変換プロセスを適用することは、固定色空間逆変換行列を適用することを備え、前記固定色空間逆変換行列は、ＹＣｏＣｇ行列であり得るか、またはＹＣｏＣｇ−Ｒ行列であり得る、請求項１に記載の方法。
【請求項４】
前記シンタックス要素が、色空間変換プロセスを使用して前記コーディングユニットがコーディングされたことを示すと決定することに応答して、
前記ビデオデータに色空間逆変換プロセスを適用することの前に、１つまたは複数の成分の値を使用してイントラコーディングされた残差ブロックを生成することと、
前記ビデオデータの前記イントラコーディングされた残差ブロックに前記色空間逆変換プロセスを適用することと
をさらに備える、請求項１に記載の方法。
【請求項５】
ビデオデータを記憶するように構成されたメモリと、
１つまたは複数のプロセッサと
を備えるビデオ復号デバイスであって、前記１つまたは複数のプロセッサは、
ビデオデータのコーディングユニットのシンタックス要素を復号することと、ここにおいて、前記シンタックス要素は、色空間変換プロセスが残差ブロックに適用される色空間変換プロセスを使用して前記コーディングユニットが符号化されたかどうかを示し、ここにおいて、４分木データ構造は、コーディングユニットごとに１つのノードを含む、
前記シンタックス要素の値は、色空間変換プロセスが残差ブロックに適用される色空間変換プロセスを使用して前記コーディングユニットが符号化されたことを示すかどうかを決定することと、
前記シンタックス要素が、色空間変換プロセスが残差ブロックに適用される色空間変換プロセスを使用して前記コーディングユニットがコーディングされたことを示すと決定することに応答して、残差ブロックを生成するために、前記コーディングユニットを復号することにおいて色空間逆変換プロセスを適用することと
を行うように構成された、ビデオ復号デバイス。
【請求項６】
前記コーディングユニットは、イントラパルス符号変調（ＩＰＣＭ）モード以外のモードでコーディングされ、前記シンタックス要素は、前記ＩＰＣＭモード以外のモードを使用するコーディングユニットについてのみシグナリングされる、および／または
前記コーディングユニットの変換ユニット中に非０係数があるとき、前記シンタックス要素は、色空間変換プロセスを使用して前記コーディングユニットが符号化されたことを示す、請求項１に記載の方法、または請求項５に記載のビデオ復号デバイス。
【請求項７】
前記コーディングユニットがイントラコーディングされるとき、および前記コーディングユニット内の予測ユニットのルーマ予測モードとクロマ予測モードとが異なるとき、前記シンタックス要素は、色空間変換プロセスを使用して前記コーディングユニットが符号化されなかったことを示し、ここにおいて、前記シンタックス要素は、前記ビデオデータを備える受信ビットストリーム中に存在せず、ここにおいて、前記シンタックス要素を復号することは、前記シンタックス要素の前記値を推論することを備える、および／または
前記コーディングユニットがパレットモードでコーディングされるとき、前記シンタックス要素は、色空間変換プロセスを使用して前記コーディングユニットが符号化されなかったことを示し、ここにおいて、前記シンタックス要素は、前記ビデオデータを備える受信ビットストリーム中に存在せず、ここにおいて、前記シンタックス要素を復号することは、前記シンタックス要素の前記値を推論することを備える、請求項１に記載の方法、または請求項５に記載のビデオ復号デバイス。
【請求項８】
実行されたとき、ビデオ復号デバイスの１つまたは複数のプロセッサに、請求項１−４、６、７、９−１２、１４、または１５のうちのいずれかに記載の方法を行わせる命令を備える、コンピュータ可読記憶媒体。
【請求項９】
ビデオデータを符号化する方法であって、
コーディングユニットのために、色空間変換プロセスが残差ブロックに適用される色空間変換プロセスを使用すべきかどうかを決定することと、ここにおいて、４分木データ構造は、コーディングユニットごとに１つのノードを含む、
前記コーディングユニットのために前記色空間変換プロセスを使用することを決定することに応答して、前記色空間変換プロセスの前記使用を示すように前記コーディングユニットのシンタックス要素の値を設定することと、
前記コーディングユニットを符号化することにおいて前記色空間変換プロセスを適用することと
を備え、ここにおいて、前記色空間逆変換プロセスは、残差ブロックに適用される、方法。
【請求項１０】
前記シンタックス要素は、第１のシンタックス要素であり、前記第１のシンタックス要素は、前記コーディングユニットに関連し、
ピクチャパラメータセットのために色空間変換プロセスを使用すべきかどうかを決定することと、
前記ピクチャパラメータセットのために色空間変換プロセスを使用することを決定することに応答して、第２のシンタックス要素の値を設定することと、ここにおいて、前記第２のシンタックス要素は、前記ピクチャパラメータセットに関連し、ここにおいて、前記第２のシンタックス要素は、前記ピクチャパラメータセットに対応するビデオデータのために色空間変換プロセスが有効化されることを示すように設定される、
前記ピクチャパラメータセットの前記ビデオデータに色空間変換プロセスを適用することと
をさらに備える、請求項９に記載の方法。
【請求項１１】
前記色空間変換プロセスを適用することが、色空間変換行列を適用することを備え、前記色空間変換行列は、ＹＣｏＣｇ行列であり得るか、またはＹＣｏＣｇ−Ｒ行列であり得る、請求項９に記載の方法。
【請求項１２】
前記コーディングユニットのために色空間変換プロセスを使用することを決定することに応答して、
前記ビデオデータに色空間変換プロセスを適用することの前に、１つまたは複数の成分の値を使用して残差ブロックを生成することと、
前記ビデオデータの前記残差ブロックに前記色空間変換プロセスを適用することと
をさらに備える、請求項９に記載の方法。
【請求項１３】
ビデオデータを記憶するように構成されたメモリと、
１つまたは複数のプロセッサと
を備えるビデオ符号化デバイスであって、前記１つまたは複数のプロセッサは、
コーディングユニットのために、色空間変換プロセスが残差ブロックに適用される色空間変換プロセスを使用すべきかどうかを決定することと、ここにおいて、４分木データ構造は、コーディングユニットごとに１つのノードを含む、
前記コーディングユニットのために前記色空間変換プロセスを使用することを決定することに応答して、前記色空間変換プロセスの前記使用を示すように前記コーディングユニットのシンタックス要素の値を設定することと、
前記コーディングユニットを符号化することにおいて前記色空間変換プロセスを適用することと
を行うように構成され、ここにおいて、前記色空間逆変換プロセスは、残差ブロックに適用される、ビデオ符号化デバイス。
【請求項１４】
前記シンタックス要素は、１ビットフラグを備える、および／または、
前記シンタックス要素についての１の値は、色空間変換プロセスを使用して前記コーディングユニットが符号化されたことを示す、請求項１または９に記載の方法、請求項５に記載のビデオ復号デバイス、または請求項１３に記載のビデオ符号化デバイス。
【請求項１５】
イントラパルス符号変調（ＩＰＣＭ）モード以外のモードを使用して前記コーディングユニットがコーディングされるとき、前記シンタックス要素は、シグナリングされる、および／または
前記コーディングユニットの変換ユニット中に非０係数があるときのみ、前記シンタックス要素は、シグナリングされる、および／または
前記コーディングユニットがイントラコーディングされるとき、および前記コーディングユニット内の予測ユニットのルーマ予測モードとクロマ予測モードとが異なるとき、前記シンタックス要素は、シグナリングされない、および／または
前記コーディングユニットがパレットモードでコーディングされるとき、前記シンタックス要素は、シグナリングされない、請求項９に記載の方法、または請求項１３に記載のビデオ符号化デバイス。